(57)【要約】【課題】コンクリート床スラブを、型枠兼用内装パネルを用いて型枠工を合理化すると共に、使用コンクリート量を低減し、併せてコンクリートスラブからの大梁への負荷応力伝達の均斉分散化、及び天井面の配線、配管の合理化を図る。【解決手段】等幅のコンクリート薄肉部ＳＡとコンクリート厚肉部ＳＢとを交互に床スラブ短辺スパン方向に配向した表面Ｓｆの平坦な一方向スラブであって、コンクリート薄肉部ＳＡには、内装材１ａ上に厚肉断熱材１ｂを層着した厚肉パネル１が、コンクリート厚肉部ＳＢには、内装材２ａ上に薄肉断熱材２ｂを層着した薄肉パネル２が、各断熱材１ｂ，２ｂが接合形態でコンクリートスラブＳ下面に一体化固定してコンクリート床スラブＳ下面を断熱材層で被覆し、配線、配管用の条溝１Ｈ，２Ｈ，２Ｇ群が各断熱材１ｂ，２ｂを貫通しているフラット床スラブ。【選択図】      図１
2005213836.tif 000002
【特許請求の範囲】
【請求項１】
略等幅のコンクリート薄肉部（ＳＡ）とコンクリート厚肉部（ＳＢ）とを、交互に、床スラブ短辺スパン方向に配向した表面（Ｓｆ）の平坦な一方向スラブであって、コンクリートスラブ（Ｓ）の下面のコンクリート薄肉部（ＳＡ）には、内装材（１ａ）上に厚肉断熱材（１ｂ）を層着した厚肉パネル（１）が、コンクリート厚肉部（ＳＢ）には、内装材（２ａ）上に薄肉断熱材（２ｂ）を層着した薄肉パネル（２）が、各パネル（１，２）の断熱材（１ｂ，２ｂ）が接合形態でコンクリートスラブ（Ｓ）に一体化固定してコンクリート床スラブ（Ｓ）下面を断熱材（１ｂ，２ｂ）層で被覆し、且つ、配線、配管用の条溝（１Ｈ，２Ｈ，２Ｇ）群が各断熱材（１ｂ，２ｂ）を貫通している鉄筋コンクリート建物のフラット床スラブ。
【請求項２】
コンクリート厚肉部（ＳＢ）は、厚さ（Ｓ１）がコンクリートスラブ短辺スパン長（ＳＷ）の１／２５〜１／３０であり、幅（ＷＢ）が短辺スパン長（ＳＷ）の略１／９であり、コンクリート薄肉部（ＳＡ）は、厚さ（Ｓ２）がコンクリート厚肉部の厚さ（Ｓ１）の５０〜６０％で、且つ少なくとも８０mm以上である、請求項１のフラット床スラブ。
【請求項３】
コンクリート厚肉部（ＳＢ）は、厚肉部（ＳＢ）の長さ方向に配向した上端主筋（３Ｕ）群と下端主筋（３Ｄ）群とを備え、コンクリート薄肉部（ＳＡ）は、薄肉部長さ方向に配向した主筋（４Ｕ）群を備え、上端主筋端部（３Ｕ´）が筋径の３５倍強の長さを、下端主筋端部（３Ｄ´）が筋径の２５倍強の長さを、主筋（４Ｕ）の端部が筋径の１０倍強の長さを大梁（Ｇ）内に定着した、請求項１又は２のフラット床スラブ。
【請求項４】
クランク形態に屈曲してコンクリート薄肉部（ＳＡ）に対応する上部（ｃａ）とコンクリート厚肉部（ＳＢ）に対応する下部（ｃｂ）を形成した床スラブ筋（４Ｃ）を、コンクリート厚肉部（ＳＢ）の下端主筋（３Ｄ）とコンクリート薄肉部（ＳＡ）の主筋（４Ｕ）とに直交配置した、請求項３のフラット床スラブ。
【請求項５】
コンクリート厚肉部（ＳＢ）とコンクリート薄肉部（ＳＡ）の接続部をイナズマ筋（４Ｅ）で補強した、請求項１乃至４のいずれか１項のフラット床スラブ。
【請求項６】
各条溝（１Ｈ，２Ｈ，２Ｇ）が内装材（１ａ，２ａ）に面したパネル（１，２）の長手方向及び幅方向の直交配置であり、厚肉パネル（１）、及び／又は、薄肉パネル（２）の接続部（ＪＬ，ＪＷ）で各条溝（１Ｈ，２Ｈ，２Ｇ）が対応連通している、請求項１乃至５のいずれか１項のフラット床スラブ。
【請求項７】
厚肉パネル（１）、及び／又は、薄肉パネル（２）の接合が、断熱材（１ｂ）、及び／又は、断熱材（２ｂ）相互の屈折面接合である、請求項１乃至６のいずれか１項のフラット床スラブ。
【請求項８】
厚肉パネル（１）は、両側（１Ｓ）では下半の切欠（１Ｃ）によって断熱材（１ｂ）が突出段差（ｄ０）を備え、薄肉パネル両側（２Ｓ）が厚肉パネル両側（１Ｓ）の突出段差（ｄ０）に嵌入した、請求項７のフラット床スラブ。
【請求項９】
薄肉パネル（２）は幅中央部に長手方向に貫通する断面逆凸形状の条溝（２Ｇ）を備え、閉止用断熱材（２ｃ）で条溝（２Ｇ）の上面を閉止した、請求項１乃至８のいずれか１項のフラット床スラブ。
【請求項１０】
厚肉パネル（１）は、厚肉断熱材（１ｂ）の適所に、条溝（１Ｈ）に連通するピット（７）を配置した、請求項１乃至９のいずれか１項のフラット床スラブ。
【請求項１１】
厚肉パネル（１）は、厚肉断熱材（１ｂ）の適所に、長手方向に貫通する断面逆凸形状の条溝（７Ｇ）を備え、閉止用断熱材（７ｃ）で条溝（７Ｇ）の上面を閉止した、請求項１乃至１０のいずれか１項のフラット床スラブ。
【発明の詳細な説明】
【技術分野】
【０００１】
本発明は、中高層鉄筋コンクリート造建物の床スラブに関するものであり、より詳しくは、コンクリート床スラブが四辺固定であっても短辺スパン長さが長辺スパン長さの１／２以下であって一方向スラブと解されるタイプや、コンクリート床スラブが両端辺で固定されるタイプの一方向スラブに於いて、コンクリート厚肉部と薄肉部とを両側支持体間に交互配置して平均スラブ厚を小とした、構築容易なフラット床スラブに関するものであり、建築の技術分野に属するものである。
【背景技術】
【０００２】
〔従来例１（図１０）〕
図１０に示す従来例１は、特許文献１に開示されたものであり、図１０（Ａ）に示す如く、桁方向に延在配置した１対の耐震壁間に、鉄筋コンクリート造床版（床スラブ）を張設したものであり、図１０（Ｂ）に示す如く、床版下面には、耐震壁と直交する方向にリブを配置し、リブはＰＣ鋼材により、その延在方向にプレストレスを導入したものである。
そして、床版を軽量化して地震に対する水平耐力を確保すると共に、柱の本数や断面積を減じて内部空間の利用性を向上させたものである。
【０００３】
〔従来例２（図１１）〕
図１１に示す従来例２は、特許文献２に開示されたものであり、型枠兼用の内装下地ボードは、図１１（Ａ）に示す如く、壁紙などの内装材の直張り可能な耐火性耐力面材の片面側に断熱パネルを張り、該断熱パネル上にはスラブ小梁間に充填される厚さ５０〜７０mmの断熱埋込材を長手方向に一体化延設し、断熱埋込材にはコンクリートが流れ込む凹部、長手方向の配管配線用挿通孔及び係合溝を配置したものである。
【０００４】
そして、図１１（Ｂ）に示す如く、内装下地ボードをスペーサ、連結ロッド及びベースから成る取付具によって下面の型枠としてスラブコンクリートを打設し、コンクリートが凹部に入り込んで内装下地ボードとスラブコンクリートとを強固に結合し、フラットスラブ下面適所の下地ボード継目上に小梁が存在し、且つ、天井面が平坦で断熱埋込材に配線配管用挿通孔を備えた合成床スラブを得るものであり、下地ボードを型枠として使用することにより、型枠撤去作業と内装下地処理を合理化したものである。
【特許文献１】特開２００２−８８９２３号公報
【特許文献２】特開２００２−６１３２４号公報
【発明の開示】
【発明が解決しようとする課題】
【０００５】
従来例１の床スラブにあっては、リブが従来のＴ型スラブ同様、床スラブ下面に突出するため、天井面を平坦に仕上げる際には天井面が低くなり、利用空間が狭くなる。
しかも、ＰＣ鋼材の張設やスターラップ筋施工等、通常のフラット床スラブでの配筋施工より遥かに配筋施工作業が煩雑、且つ困難であり、且つ、型枠の組立て、解体の作業も必要であって施工コストも大となり、スパンを大きくする必要のない小中規模の建物には不向きである。
また、床スラブから耐震壁への曲げモーメント作用は、リブ部での耐震壁への局所集中負荷となって、耐震壁へのねじれやたわみ歪を付与する危険がある。
また、天井面への配線、配管には突出リブが障害となる。
【０００６】
また、従来例２の床スラブにあっては、下地ボードを下型枠とするため、型枠施工の合理化は達成出来るが、下記（イ）〜（ニ）の問題がある。即ち：
（イ）小梁の存在により階高が大きくなって建築コストが高くなるか、天井高さが抑制される。
（ロ）幅、高さの大な断熱埋込材は、両側の小梁で分断され、しかも、凹部へのコンクリート流入によってフラットスラブとの接着性を確保するため、配線、配管用挿通孔の配置形態が凹部によって制約されて凹部と小梁間での長手方向配置のみとなり、スラブ下面への照明器具、換気扇、給水装置等の配線、配管が制約を受ける。
【０００７】
（ハ）配線、配管用挿通孔、凹部、係合溝、及びフラットスラブと型枠兼用内装下地ボードを固定する取付具の配置により、断熱埋込材への配管スペースが少ないため、排気管及び排水管は内装下地ボードの下方に配置することとなり、更に隠蔽天井を配置する必要が生じ、天井面が更に低くなる。
（ニ）小梁は、上下端主筋、及び各主筋を拘束するスターラップ筋、スターラップ筋の間隔を保持する腹筋、幅止め筋、で配置する必要があり、幅の狭い小梁用の配筋作業は煩雑、且つ困難であり、しかも、地震時には、両側端の大梁等の支持体には、小梁による局所的な集中負荷が作用し、支持体へのねじれやたわみ歪を発生する危険がある。
本発明は、これら従来の問題点を一挙に解決、又は改善する新規、且つ有用なフラット床スラブを提供するものである。
【０００８】
即ち、本発明は、慣用のＴ型床スラブや、従来例１や従来例２の床スラブとは全く異なる新規な一方向スラブであって、スラブ断面を、同幅の厚肉部と薄肉部との交互配置とすると共に、厚肉部を通常のフラットスラブ厚近似とし、薄肉部を通常のフラットスラブ厚の略１／２厚としてスラブ平均厚を抑えることにより、スラブコンクリート量の低減による建物の軽量化を図り、耐震性を向上させ、遮音性があり、たわみによるひび割れが抑制出来、しかも、コンクリート床スラブの構築が容易であって、床スラブ下面への配線、配管施工も合理化出来る、実用性の極めて大なフラット床スラブを提供するものであり、従来例１，２の問題点を一挙に解決、又は改善するものである。
【課題を解決するための手段】
【０００９】
本発明は、例えば図１に示す如く、略等幅のコンクリート薄肉部ＳＡとコンクリート厚肉部ＳＢとを、交互に、床スラブ短辺スパン方向に配向した表面Ｓｆの平坦な一方向スラブであって、コンクリートスラブＳの下面のコンクリート薄肉部ＳＡには、内装材１ａ上に厚肉断熱材１ｂを層着した厚肉パネル１が、コンクリート厚肉部ＳＢには、内装材２ａ上に薄肉断熱材２ｂを層着した薄肉パネル２が、各パネル１，２の断熱材１ｂ，２ｂが接合形態でコンクリートスラブＳに一体化固定してコンクリート床スラブＳ下面を断熱材１ｂ，２ｂ層で被覆し、且つ、配線、配管用の条溝１Ｈ，２Ｈ，２Ｇ群が各断熱材１ｂ，２ｂを貫通している鉄筋コンクリート建物のフラット床スラブに関するものである。
【００１０】
尚、本発明は一方向スラブに関するものであり、床スラブを両側端でのみ固定（二辺固定）支持してスラブ負荷応力が両側へ流れるタイプや、四辺固定であっても、短辺スパン長が長辺スパン長の１／２以下であって、計算上、スラブ負荷応力が短辺スパン方向に流れる一方向スラブとして扱うタイプに関するものであるから、「床スラブ短辺スパン方向に配向」は、床スラブＳへの負荷応力の流れる方向への配向、を意味し、各コンクリート厚肉部ＳＢとコンクリート薄肉部ＳＡとが、１本毎に短辺スパン方向に交互に並列していることを意味する。
また、各断熱材１ｂ，２ｂの「接合形態」の意は、厚肉断熱材１ｂと薄肉断熱材２ｂとが隙間なく接している意味である。
また、内装材１ａ，２ａは、同一寸法、同一材が良く、典型的にはＯＳＢ（オリエンテッド、ストランド、ボード）である。
【００１１】
また、コンクリート厚肉部ＳＢは、両側の各コンクリート薄肉部ＳＡの負荷応力を負担する小梁機能を奏するものであり、慣用の、想定床荷重に対抗するように、鉄筋棒鋼の径、鉄筋棒鋼のスラブ厚さ方向間隔、コンクリート被り厚さ、等を基に、スパン長の１／３０を目途として算出すれば良く、コンクリート薄肉部ＳＡは、遮音性、たわみによるひび割れに留意して、コンクリート厚肉部ＳＢの略１／２厚に決めれば良い。
また、コンクリート薄肉部ＳＡ、コンクリート厚肉部ＳＢと、各パネル１，２との一体化固定は、図４（Ａ）に示す如く、厚肉パネル１と薄肉パネル２とを交互に配置してコンクリート下型枠とすれば、型枠の解体作業が合理化出来て、各パネル１，２と、各コンクリート薄肉部ＳＡ、コンクリート厚肉部ＳＢとは一体化固定出来る。
【００１２】
従って、本発明フラット床パネルは、小梁が存在しないため、及び各パネル１，２が配線、配管用の条溝を備えているため、配線はもとより、設備配管も容易となると共に、天井高さの大きな空間の創出も可能である。
また、コンクリート厚肉部ＳＢとコンクリート薄肉部ＳＡとが略等幅であるため、構造計算及び構造設定が容易となり、しかも、床スラブ両側の大梁Ｇ等の支持体への床スラブＳからの応力伝達は、一定間隔毎に分割された多数の広幅部分での応力伝達となるため、従来のＴ型スラブや、従来例２での小梁の如き、局所応力集中が回避出来、地震時の大梁Ｇへのねじれやたわみ損壊が抑制出来る。
【００１３】
また、厚肉パネル１と薄肉パネル２とでコンクリートスラブ下型枠が形成出来るため、コンクリート薄肉部ＳＡとコンクリート厚肉部ＳＢとの、幅及び厚さの所望どおりの構築が容易となり、スラブコンクリート打設後の型枠解体作業も合理化出来、しかも、コンクリート打設前に各断熱材１ｂ，２ｂの条溝１Ｈ，２Ｈ，２Ｇへの予めの配線、配管も可能であるため、床スラブ構築及び内装工事が合理化出来る。
【００１４】
また、床スラブ型枠組み時でも、コンクリート厚肉部ＳＢとコンクリート薄肉部ＳＡとの段差Ｓ３が小さいため、鉄筋の配筋作業性が良く、コンクリート厚肉部ＳＢは床スラブの一部であるため、配筋施工も従来の床スラブに於ける小梁への配線施工より遙かに容易である。
従って、本発明は、設計上、施工上に優れ、力学的観点からも有効な一方向床スラブの低コストでの提供を可能とする。
【００１５】
また、本発明のフラット床スラブでは、コンクリート厚肉部ＳＢは、厚さＳ１が、従来のフラットスラブ厚と略同厚のコンクリートスラブ短辺スパン長ＳＷの１／２５〜１／３０であり、幅ＷＢが短辺スパン長ＳＷの略１／９であり、コンクリート薄肉部ＳＡは、厚さＳ２がコンクリート厚肉部の厚さＳ１の５０〜６０％で、且つ少なくとも８０mm以上であるのが好ましい。
この場合、コンクリートは、典型的には設計基準強度が２７０kg／cm２のものである。
尚、コンクリート薄肉部ＳＡの厚さＳ２は、配筋形態との関係で、最低限８０mmまで薄くしてもコンクリート床スラブとしての機能を果すが、遮音性向上、長期たわみ量及び振動障害の低減の観点からは、厚い方が良い。
【００１６】
しかし、厚さＳ２の増大は、コンクリート使用量の低減化と相反するばかりでなく、断面形状増による建物の重量増大を招くため、コンクリート薄肉部ＳＡの厚さＳ２は、８０mm厚以上の条件の下に、コンクリート厚肉部厚Ｓ１の５０〜６０％とすれば、コンクリート使用量の低減の目的の下に、コンクリート薄肉部ＳＡとコンクリート厚肉部ＳＢの接合剛性の保持、厚肉部ＳＢのねじれ抵抗向上が得られる。
また、コンクリート厚肉部厚Ｓ１は、小さくなれば、弾性たわみ量（躯体構築時の初期たわみ）の増大を招き、剛性保持のための配筋量の増大を招く。
また、厚肉部厚Ｓ１の増大は、スラブの重量増によって長期たわみがあまり改善されずにコンクリート使用量の増大によるコスト増を招き、コンクリート薄肉部ＳＡとの段差Ｓ３（図４（Ａ））の増加による設備工事の作業性低下を招く。
【００１７】
また、コンクリート厚肉部ＳＢは、両側方のコンクリート薄肉部ＳＡからの負荷応力伝達を受けるものであり、厚肉部ＳＢの力学的機能上からは、幅ＷＢを小として多く配置するのが有利であるが、型枠組み及び配筋の作業性からは、幅ＷＢは大な方が有利である。
そして、床スラブ形成上の作業性からも、構造計算の簡便化からも、内装工事面からも、コンクリート厚肉部幅ＷＢとコンクリート薄肉部幅ＷＡが等幅であるのが、特に有利である。
【００１８】
従って、短辺スパン長ＳＷの関数である、コンクリート厚肉部の幅ＷＢ、厚さＳ１、コンクリート薄肉部の幅ＷＡ、厚さＳ２の相互関係は、構造力学面、構造計算面、作業性、使用資材（コンクリート）の合理化の観点より、Ｓ１＝１／２５〜１／３０ＳＷ、ＷＢ＝１／９ＳＷ、Ｓ２＝５０〜６０％Ｓ１、且つ８０mm以上、ＷＢ＝ＷＡの実施化最適モデルが創作出来た。
該モデルによって本願発明が、所期のたわみ性、振動性、遮音性、及び経済性の下に、短辺スパン長の変更にも対応して、好適に実施出来る。
尚、該創作モデルによる実施は、次のとおりである。
【００１９】
（１）ＳＷが８ｍ：ＷＢ＝ＷＡ＝９００mm、Ｓ１＝２７０mm、Ｓ２＝１６０mm、ＳＢ部の配筋は、上下各８本（１６mm径）
（２）ＳＷが７ｍ：ＷＢ＝ＷＡ＝８００mm、Ｓ１＝２５０mm、Ｓ２＝１５０mm、ＳＢ部の配筋は、上下各７本（１６mm径）
（３）ＳＷが６ｍ：ＷＢ＝ＷＡ＝７００mm、Ｓ１＝２３０mm、Ｓ２＝１４０mm、ＳＢ部の配筋は、上下各６本（１６mm径）
（ＳＷ：短辺スパン長、ＷＢ：コンクリート厚肉部幅、ＷＡ：コンクリート薄肉部幅、Ｓ１：コンクリート厚肉部の厚さ、Ｓ２：コンクリート薄肉部の厚さ）
【００２０】
また、本発明にあっては、図７に示す如く、コンクリート厚肉部ＳＢは、厚肉部ＳＢの長さ方向に配向した上端主筋３Ｕ群と下端主筋３Ｄ群とを備え、コンクリート薄肉部ＳＡは、薄肉部長さ方向に配向した主筋４Ｕ群を備え、上端主筋端部３Ｕ´が筋径の３５倍強の長さを、下端主筋端部３Ｄ´が筋径の２５倍強の長さを、主筋４Ｕの端部が筋径の１０倍強の長さを大梁Ｇ内に定着するのが好ましい。
【００２１】
尚、コンクリートは、典型的には設計基準強度２７０kg／cm２であり、水セメント比５５％以下である。
この場合、コンクリート厚肉部ＳＢの上下主筋３Ｕ，３Ｄの端部が大梁Ｇ内に強固に固定されて、長期たわみは１２．３mmに抑制出来、剛性が大となり、クリープたわみによる床スラブＳの変形、ひび割れ及び振動障害が抑制出来る。
【００２２】
また、本発明にあっては、図７（Ｂ）、（イ）に示す如く、クランク形態に屈曲して、コンクリート薄肉部ＳＡに対応する上部ｃａと、コンクリート厚肉部ＳＢに対応する下部ｃｂを形成した床スラブ筋４Ｃを、コンクリート厚肉部ＳＢの下端主筋３Ｄと、コンクリート薄肉部ＳＡの主筋４Ｕとに直交配置するのが好ましい。
この場合、クランク形態の床スラブ筋４Ｃは、コンクリート厚肉部ＳＢ及びコンクリート薄肉部ＳＡへの適正配筋作業を容易にすると共に、各主筋３Ｕ，３Ｄ，４Ｕと連携して各鉄筋の配置関係を保持し、コンクリート薄肉部ＳＡ上の負荷応力のスムーズなコンクリート厚肉部ＳＢへの伝達を可能とする。
【００２３】
また、コンクリート厚肉部ＳＢとコンクリート薄肉部ＳＡの接続部を、図７（Ｂ）、（ニ）に示す形態のイナズマ筋４Ｅで補強するのが好ましい。
イナズマ筋４Ｅは、上側水平部をコンクリート薄肉部ＳＡ内で床スラブ筋４Ｃの上部ｃａに、下側水平部をコンクリート厚肉部ＳＢ内で床スラブ筋４Ｃの下部ｃｂに連携させるのが好ましく、この場合、薄肉部ＳＡと厚肉部ＳＢとの接続部での床スラブ筋４Ｃの応力変位が抑制出来、コンクリート薄肉部ＳＡからコンクリート厚肉部ＳＢへの負荷応力伝達を、よりスムーズにする。
【００２４】
また、本発明床スラブにあっては、各条溝１Ｈ，２Ｈ，２Ｇが内装材１ａ，２ａに面したパネル１，２の長手方向及び幅方向の直交配置であり、厚肉パネル１、及び／又は、薄肉パネル２の接続部ＪＬ，ＪＷで各条溝１Ｈ，２Ｈ，２Ｇが対応連通しているのが好ましい。
この場合、厚肉パネル１の幅方向条溝１Ｈ群と、薄肉パネル２の幅方向条溝２Ｈ群とは、共に等間隔で対応位置に配置しておけば、パネル１とパネル２間の条溝１Ｈと条溝２Ｈとの連通配置が容易となる。
【００２５】
そして、厚肉パネル１と薄肉パネル２とを当接配置した床スラブＳにあっては、断熱材１ｂ，２ｂ層内では、縦横に条溝１Ｈ，２Ｈ，２Ｇが連通形態となるため、本発明床スラブは、スラブコンクリート打設前に、所望形態に電気配線も給水配管も配置することにより、床スラブ形成後の、天井面側の配線、配管工事が大幅に合理化出来る。
【００２６】
また、本発明床スラブは、厚肉パネル１、及び／又は、薄肉パネル２の接合が、断熱材１ｂ、及び／又は、断熱材２ｂ相互の屈折面接合であるのが好ましい。
この場合、厚肉パネル１相互の接合は、断熱材１ｂの長手方向両端１Ｅの段差ｄ１での図６（Ａ）の如き相欠き接合で、薄肉パネル２相互の接合は、断熱材２ｂの長手方向両端２Ｅの段差ｄ２での図６（Ｂ）の如き相欠き接合で、幅方向での厚肉パネル１と薄肉パネル２との接合も、相欠き接合で達成出来る。
従って、各パネル１，２は、全て、断熱材１ｂ，２ｂの当接界面が屈折形態となることにより、断熱材１ｂ，２ｂの延展層上に打設するスラブコンクリートは、下面型枠としてのパネル１，２の接合部ＪＬ，ＪＷからの漏出（のろ漏れ）が抑制出来、コンクリート打設による内装材１ａ，２ａへの汚損が抑制出来る。
【００２７】
尚、厚肉パネル１は、図２（Ｂ）の如く、両側１Ｓでは下半の切欠１Ｃによって断熱材１ｂが突出段差ｄ０を備え、薄肉パネル両側２Ｓが厚肉パネル両側１Ｓの突出段差ｄ０に嵌入させるのが好ましい。
この場合、厚肉パネル断熱材１ｂの段差ｄ０の高さｈ１を、薄肉パネル２の断熱材２ｂの厚さと同寸とすることにより、図５（Ａ），（Ｂ）の如く、厚肉パネル１と薄肉パネル２とを同一水平面上で相互当接させるだけで、各断熱材１ｂ，２ｂが屈折面接合となる。
しかも、厚肉パネル１が両側１Ｓで薄肉パネル２を押圧するため、厚肉パネル１を支承体（根太５Ａ）に固定するだけで、各パネル１，２の支承体への張設が出来、床スラブＳの下型枠組立ての作業性が向上する。
【００２８】
また、薄肉パネル２は、図３の如く、幅中央部に長手方向に貫通する断面逆凸形状の条溝２Ｇを備え、閉止用断熱材２ｃで条溝２Ｇの上面を閉止するのが好ましい。
この場合、各パネル１，２で床スラブ下型枠組立てた後の、各パネル１，２内への配線、配管作業は、上面の開放した溝２Ｇでの目視作業で遂行し、配線、配管終了後に溝２Ｇの上面に断熱材２ｃで蓋をすることにより、スラブコンクリート打設前の配線、配管作業が容易となる。
【００２９】
また、厚肉パネル１は、厚肉断熱材１ｂの適所に、条溝１Ｈに連通するピット７を配置しておくのが好ましい。
この場合、ピット７は、必要に応じてボックス形状、貫通溝形状等、形状を選択することにより、配線、配管の交差部と出来、分電盤の配置すら可能となり、配線、配管の点検、補修が容易となる。
【００３０】
また、厚肉パネル１は、図４に示す如く、厚肉断熱材１ｂの適所に、長手方向に貫通する断面逆凸形状の条溝７Ｇを備え、閉止用断熱材７ｃで条溝７Ｇの上面を閉止するのが好ましい。
この場合、吸排気管等の大径管の配置作業も、条溝７Ｇの開放形態による目視作業で容易となり、配線、配管後の断熱材７ｃによる蓋閉止で、コンクリート打設に支障を生じない。
【発明の効果】
【００３１】
（１）本発明床スラブにあっては、コンクリート厚肉部ＳＢとコンクリート薄肉部ＳＡとの段差Ｓ３が小さいので、建物の階高が小さく出来て建築コストが低減出来るか、或いは、天井高さを大きくして居住空間を広くすることが出来る。
（２）スラブコンクリートＳが、それぞれ等幅のコンクリート厚肉部ＳＢとコンクリート薄肉部ＳＡとを交互に短辺スパン方向に配向したため、スパン両端の大梁Ｇへの応力負荷は定間隔分割形態での作用となり、スラブコンクリートＳと大梁Ｇの固定部での応力の局所集中が避けられて大梁Ｇのねじれやたわみが抑制出来、スラブコンクリートＳへのひび割れ影響が抑制出来、スラブコンクリートＳの軽量化が達成出来ると共に、大梁Ｇも小型軽量化が可能となる。
【００３２】
（３）コンクリート薄肉部ＳＡは勿論、小梁機能を奏するコンクリート厚肉部ＳＢも床スラブなので、従来の小梁に比べて、細径で軽量な主筋での配筋となり、コンクリート薄肉部ＳＡとコンクリート厚肉部ＳＢとの段差Ｓ３が小さいことと相俟って、スラブコンクリートＳ用の配筋作業が容易であって、配筋組立作業性が良い。
しかも、従来のコンクリートフラットスラブに比べて、厚肉部ＳＢが略同厚で、薄肉部ＳＡが略１／２厚に出来るため、コンクリート使用量も大幅に低減出来る。
【００３３】
（４）コンクリート薄肉部ＳＡ及びコンクリート厚肉部ＳＢは、下型枠として連設配置する厚肉パネル１及び薄肉パネル２と一体化固定されるため、スラブコンクリートＳの下型枠の組立て、解体工事が合理化出来る。
そして、下型枠の各パネル１，２が断熱材１ｂ，２ｂ中に条溝１Ｈ，２Ｈ，２Ｇを備えているため、コンクリート打設前に配線、配管が可能となり、内装工事が合理化出来る。
勿論、各条溝１Ｈ，２Ｈ，２Ｇへの配線、配管は、コンクリート打設後の型枠解体前でも可能であり、内装工事の自由度が向上する。
しかも、各パネル内の条溝１Ｈ，２Ｈ，２Ｇの存在は、床スラブＳの耐用時には、遮音機能すら期待出来る。
【発明を実施するための最良の形態】
【００３４】
本発明のフラット床スラブＳは、図９の如く、床スラブ面の長辺スパン長ＳＬが短辺スパン長ＳＷの２倍以上であって、床スラブの負荷応力が短辺スパン方向の両側の大梁Ｇに流れるタイプや、床スラブ面がスパン両側の二辺に存在する支持体（大梁Ｇ）でのみ支持されるタイプ等の、いわゆる一方向床スラブに関するものであって、床スラブの小梁の機能を奏する幅ＷＢのコンクリート厚肉部ＳＢ、及びコンクリート厚肉部ＳＢと同幅の幅ＷＡのコンクリート薄肉部ＳＡの幅、及び、これら同幅のコンクリート厚肉部ＳＢとコンクリート薄肉部ＳＡの厚さは、床スラブ面の有効短辺スパン長ＳＷによって左右されるが、本発明を、床スラブの有効短辺スパン長ＳＷが８ｍの場合での実施形態を詳述する。
【００３５】
尚、本発明スラブを有効短辺スパン長ＳＷが８ｍの場合は、構造計算により、コンクリート厚肉部ＳＢの幅ＷＢは９００mm、厚さＳ１は２７０mmで従来のフラットスラブ厚と略同厚、コンクリート薄肉部ＳＡの幅ＷＡは９００mm、厚さＳ２は１６０mmで従来のフラットスラブ厚の略半分厚とし、両側支持体（大梁Ｇ）間に配置する引張り、圧縮応力に抗する主筋は、厚肉部ＳＢでは、上端主筋３Ｕの８本と、下端主筋３Ｄの８本とを等間隔に、薄肉部ＳＡでは上端主筋４Ｕを等間隔に３本配置し、各主筋３Ｕ，３Ｄ，４Ｕの端部を、上端主筋３Ｕは径の３５倍長、下端主筋３Ｄは径の２５倍長、４Ｕは１５０mm長、大梁Ｇ内に定着すれば、本発明が好適に実施出来る。
【００３６】
〔厚肉パネル（図２）〕
厚肉パネル１は、図１の如く、床スラブＳのコンクリート薄肉部ＳＡを幅ＷＡが９００mmに形成するものであり、図２（Ａ）は、厚肉パネル１の斜視図であり、図２（Ｂ）は図２（Ａ）の矢印Ｂ視図であり、図２（Ｃ）は図２（Ａ）の矢印Ｃ視図である。
厚肉パネル１は、幅Ｗ１が８７０mmで長さＬ１（標準寸法）が１８２０mmであり、厚さＴ３が９mmの構造用パネル（典型的にはＯＳＢパネル）から成る内装材１ａ上に、厚さＴ１が１５０mm、幅９００mmのビーズ法ポリエチレンフォーム断熱材１ｂを層着したものである。
【００３７】
そして、断熱材１ｂには、図２（Ｂ），（Ｃ）に示す如く、両側面１Ｓでは、下端から高さｈ１が５０mmの位置まで、両側に上部が１５mmの段差ｄ０で突出すると共に、上面両側に、一辺が５０mmの二等辺三角形状に切欠したテーパーｔａを備えており、長手方向両端１Ｅでは、下端から高さｈ１が５０mmの位置で、一端が１５mmの段差ｄ１で突出し、他端が１５mmの段差ｄ１で入り込んだ形状である。
そして、内装材１ａに面した形態で、高さ２５mm、幅８０mmの電気配線用、及び給水管配管用の貫通孔１Ｈを、幅中央部に１本長手方向に貫通し、幅方向には等間隔（端部から１５０mmで３００mm間隔）に６本の貫通孔１Ｈを、長手方向貫通孔１Ｈと交差連通させた構造である。
【００３８】
厚肉パネル１の製作は、厚さ１５０mm、幅９００mmで断面短形のビーズ法ポリスチレンフォームボードに、上面両側には一辺５０mmの二等辺三角形状の切落しテーパーｔａを、下面両側には各高さｈ１が５０mmで段差ｄ０が１５mmの切欠１Ｃを、それぞれ長手方向に切削加工し、底面には所定位置に幅８０mm、高さ２５mmの貫通孔１Ｈを、凹条溝形態で長手方向及び幅方向に切削加工し、８７０mm幅のＯＳＢ（オリエンテッド、ストランド、ボード）内装材１ａ上に接着一体化すれば、上面視で断熱材１ｂの幅Ｗ１が９００mm、且つ両側下面が１５mmの段差の切欠１Ｃを備えた厚肉パネル１が得られる。
勿論、断熱材２ｂをＯＳＢ上に層着後に機械切削加工しても良い。
【００３９】
〔薄肉パネル（図３）〕
薄肉パネル２は、図１の如く、床スラブＳの厚肉部ＳＢを幅ＷＢが９００mmに形成するものであり、図３（Ａ）は薄肉パネル２の斜視図であり、図３（Ｂ）は図３（Ａ）の矢印Ｂ視図、図３（Ｃ）は図３（Ａ）の矢印Ｃ視図である。
薄肉パネル２は、図５（Ａ）の如く、厚肉パネル１の両側の段差ｄ０（１５mm）への入り込み代を備えた、幅Ｗ２が９３０mm、長さＬ２が１８２０mm（標準長）、厚さ９mmのＯＳＢ製内装材２ａ上に、厚さＴ２が５０mmのビーズ法ポリエチレンフォーム断熱材２ｂを層着したものであり、両側面２Ｓは平坦で、長手方向両端２Ｅは、断熱材２ｂの上半で、一端には１５mm段差ｄ２の突出を、他端には１５mm段差ｄ２の入り込みを形成し、パネル２の長手方向での相欠き接合可能とする。
【００４０】
また、断熱材２ｂには、幅方向の高さ２５mm、幅８０mmの貫通孔２Ｈを等間隔に６本、厚肉パネル１の幅方向貫通孔１Ｈと対向接続可能に配置し、パネル２の幅中央部では長手方向に、上幅１２０mm、下幅８０mmで断面逆凸形の構２Ｇを形成し、溝２Ｇ上に閉止用の断熱材２ｃで蓋をすれば、溝２Ｇが貫通孔２Ｈと同一断面形状の貫通孔形態と出来る構造である。
パネル２の製作は、ＯＳＢ上に断熱材２ｂを層着した後、断熱材２ｂへの機械切削加工によって、貫通孔２Ｈ、溝２Ｇ、段差ｄ２を形成すれば良いが、予め長手方向対称形態に機械切削加工した２分割断熱材２ｂをＯＳＢ上に接着しても良い。
【００４１】
〔床スラブ下型枠形成〕
図７（Ａ）の如く、パイプサポート５Ｃで大引５Ｂ、根太５Ａを支持し、根太５Ａ上には、一方向スラブのスラブ面の短辺スパン方向両側の支持体（大梁Ｇ）間に、厚肉パネル１及び薄肉パネル２を交互に差し渡し状に配置し、各パネル１，２の断熱材１ｂ，２ｂが打設コンクリートを漏れなく受け止るように、且つ各パネル１，２の下面の内装材１ａ，２ａが隙間なく、面一形態となるように配置する。
【００４２】
図４、図５に示す如く、厚肉パネル１と薄肉パネル２との側面当接による交互配置は、厚肉パネル１両側１Ｓの切欠１Ｃの段差ｄ０（高さ５０mm、幅１５mm）に薄肉パネル２の両側２Ｓが各１５mm入り込んで、幅方向接続部ＪＷが屈折当接面を形成する形態に、且つ、厚肉パネル１の幅方向貫通孔１Ｈの６本が、薄肉パネル２の幅方向貫通孔２Ｈ（６本）と連通形態に配置する。
【００４３】
そして、各パネル１，２の長手方向接続は、厚肉パネル１相互にあっては、図６（Ａ）に示す如く、断熱材１ｂの両端１Ｅの段差ｄ１（１５mm）による相欠け接合で達成し、長手方向中央の貫通孔１Ｈも連通接続し、薄肉パネル２相互にあっては、図６（Ｂ）に示す如く、断熱材２ｂの両端２Ｅの段差ｄ２（１５mm）による相欠け接合で達成し、長手方向中央の溝２Ｇも連通接続し、長手方向接続部ＪＬが屈折当接面を形成する形態に配置して、厚肉パネル１の根太５Ａへの釘固定によりパネル１，２による床スラブ下型枠を形成する。
【００４４】
また、大径配管の必要な位置の厚肉パネル１には、図４に示す如く、中央部に１８０mm前後の広幅の断面逆凸形状の条溝７Ｇを開設し、両側面７Ｓには、図４（Ｃ）の如く、水平辺８Ｆ及び垂直辺８Ｗから成るＴバー８によって内装材７ａを配置し、底面は内装材７ａ片を着脱可能に水平辺８Ｆ上に載置して大径管配管用のピット７を予め配置しておく。
【００４５】
次いで、下型枠兼用のパネル１，２内に縦横に連通する貫通孔１Ｈ，２Ｈ、及び目視可能に開放した条溝２Ｇ，７Ｇを介して必要な電気配線、配管を施工し、排気管等の大径管はピット７を介して配置し、配線、配管後に、薄肉パネル２の条溝２Ｇ上には図５（Ａ）の如く、断熱材２ｃ（幅１２０mm、厚さ２５mm）によって蓋をし、ピット７の条溝７Ｇ上には２５mm厚の断熱材７ｃによって蓋をし、床スラブ下面型枠を構成したパネル１，２の外方に開口した配線、配管済みの貫通孔１Ｈ，２Ｈ、条溝２Ｇ，７Ｇの外端は、図示しない断熱材片及び粘着テープで、コンクリートが流入しないように閉止する。
【００４６】
〔配筋（図７）〕
図７（Ｂ）、（イ）に示す如く、クランク形態に屈曲してコンクリート薄肉部ＳＡに対応する上部ｃａと、コンクリート厚肉部ＳＢに対応する下部ｃｂを形成した径１０mmの異形棒鋼の床スラブ筋４Ｃを、間隔２００mmで各パネル１，２上を横断する形態に配置し、床スラブ筋４Ｃに添えて、径１０mmの異形棒鋼のスターラップ筋４Ａを間隔１０００mmで薄肉パネル２上（コンクリート厚肉部ＳＢ）に配置し、床スラブ筋４Ｃの下部ｃｂ及びスターラップ筋４Ａに直交して１６mm径の異形棒鋼である下端主筋３Ｄを約１２０mm間隔で８本載置し、結束線で固定する。
【００４７】
また、スラーラップ筋４Ａの上辺下面に、下端主筋３Ｄと同一の異形棒鋼を上端主筋３Ｕとして約１２０mm間隔で８本配置し、結束線で固定する。
そして、スターラップ筋４Ａ下辺、若しくは、床スラブ筋４Ｃの下部ｃｂと、スラーラップ筋４Ａ上辺、若しくは、上端主筋３Ｕとを、径１０mm異形棒鋼のステッキ筋４Ｂを適宜配置して上端主筋３Ｕの位置を保持する。
また、コンクリート薄肉部ＳＡ、即ち、厚肉パネル１上には、径１０mmの異形棒鋼である上端主筋４Ｕを床スラブ筋４Ｃに直交して約２５０mm間隔で３本配置する。
【００４８】
また、図７（Ｂ）、（ニ）に示すように、イナズマ形態に屈曲した、１０mm径の異形棒鋼で、傾斜部長が１４５mm、上下両水平部長が１５０mmのイナズマ筋４Ｅを、厚肉パネル１と薄肉パネル２との境界上、即ち、コンクリート薄肉部ＳＡとコンクリート厚肉部ＳＢとの接合部上の適所に配置して、床スラブ筋４Ｃの上部ｃａと下部ｃｂに固定する。
【００４９】
また、床スラブＳの曲げモーメント作用を負担する各主筋３Ｕ，４Ｕ，３Ｄの端部は、コンクリート厚肉部ＳＢにあっては、図７（Ｂ）、（ホ）に示す如く、上端主筋３Ｕは大梁Ｇ内に径（１６mm）の３５倍長（５６０mm）を、下端主筋３Ｄは大梁Ｇ内に径（１６mm）の２５倍長（４００mm）を、コンクリート薄肉部ＳＡの上端主筋４Ｕは大梁Ｇ内に１５０mm長が定着するように配置する。
【００５０】
〔形成床スラブ（図１）〕
床スラブ型枠を厚肉パネル１及び薄肉パネル２の交互配置により形成し、配筋した壁Ｗ、大梁Ｇ、床スラブＳの型枠に、コンクリートの接着性の確保、及びコンクリート表面の美観のために慣用の散水を施して型枠を湿潤した後、コンクリート（設計基準強度２７０kg／cm２）を打設し、固化コンクリートの強度発現を確認して型枠を解体すれば所望のフラット床スラブが得られる。
【００５１】
得られる床スラブは、図１の如く、厚肉パネル１上にはコンクリート薄肉部ＳＡが、薄肉パネル２上にはコンクリート厚肉部ＳＢが一体化形成され、床スラブ表面Ｓｆが平滑であり、床スラブ下面は、ＯＳＢ製内装材１ａを平坦に張設した形態となり、コンクリート薄肉部ＳＡによって使用コンクリート量が低減出来ると共に、コンクリート厚肉部ＳＢの厚さＳ１も、有効短辺スパン長ＳＷ（８ｍ）の約１／３０であって従来のフラットスラブ厚と近似の厚さとなり、小梁が存在しないために内装材１ａ，２ａを備えた全スラブ厚が従来物より薄くなり、居住空間が広くなって、居住性の良い床スラブとなる。
【００５２】
即ち、得られる床スラブＳは、床スラブ面の短辺スパン長８ｍで、コンクリート厚肉部ＳＢは、幅ＷＢが９００mm、厚さＳ１が従来の小梁の無いフラットスラブと略同厚の２７０mmであり、コンクリート薄肉部ＳＡは、幅ＷＡが９００mm、厚さＳ２が従来の小梁の無いフラットスラブの略半分厚の１６０mmで、且つコンクリート厚肉部ＳＢとコンクリート薄肉部ＳＡとが交互に両側支持体（大梁Ｇ）間に張設され、下面が内装材１ａ，２ａで平坦化し、且つ断熱材１ｂ，２ｂで、熱的に保護された一方向コンクリート床スラブとなる。
【００５３】
また、各パネル１，２の接続部では、厚肉パネル１相互の長手方向接続部ＪＬは、図６（Ａ）の如く、薄肉パネル２相互の長手方向接続部ＪＬは、図６（Ｂ）の如く、断熱材端部の相欠け接合形態であり、厚肉パネル１と薄肉パネル２との側面での幅方向接続部ＪＷが、図５の如く、薄肉パネル断熱材２ｂが厚肉パネル断熱材１ｂ側面に入り込み形態での接合であり、各パネルの根太への固定に際しても、厚肉パネル１のみの釘固定で薄肉パネル２も押圧固定出来るため、パネル１，２の張設作業が容易である。
そして、各パネル１，２の断熱材１ａ，２ａの接合当接界面が全て屈折界面となるため、打設コンクリートのパネル１，２の接合部ＪＬ，ＪＷからの漏出が阻止出来、内装材１ａ，２ａの汚損が抑制出来る。
【００５４】
また、厚肉パネル１の断熱材１ａは、上面両側にテーパーｔａを備えているため、型枠組立作業時等での断熱材（ポリスチレンフォーム板）１ｂの端縁部での破損が抑制出来て作業性が向上すると共に、コンクリート薄肉部ＳＡとコンクリート厚肉部ＳＢとの接続部に補強作用を奏するハンチが形成出来、内部に配置したイナズマ筋４Ｅの存在と相俟って、コンクリート薄肉部ＳＡからのコンクリート厚肉部ＳＢへの応力伝達がスムーズとなる。
【００５５】
従って、得られる床スラブＳは、コンクリート薄肉部ＳＡとコンクリート厚肉部ＳＢとが等幅、且つ幅広（９００mm）であるため、コンクリート薄肉部ＳＡの応力は両側のコンクリート厚肉部ＳＢへ、床スラブ面全面に亘って均斉に伝達出来、応力負担するコンクリート厚肉部ＳＢも、床スラブ全面に亘って９００mm間隔毎に大梁Ｇに均等分割形態での応力伝達となるため、大梁Ｇへの強大応力の局所集中が避けられ、従来のＴ型スラブの如く、小梁から大梁への局所集中型の応力伝達に起因する、地震時に於ける大梁Ｇのねじれや、たわみが抑制出来るため、床スラブへのひび割れ影響が抑制出来る。
【００５６】
その上、断熱材１ａ，２ａ層は、下方空間（室内）とスラブコンクリート間の断熱機能を奏すると共に、内在する縦横配置の貫通孔形態の条溝１Ｈ，２Ｈ，２Ｇ，７Ｇが床スラブＳの衝撃音を吸収するので、床スラブＳは剛性を高めて重量衝撃音を吸収し、軽量衝撃音は条溝１Ｈ，２Ｈ，２Ｇ，７Ｇで吸収する遮音性に優れた床スラブが提供出来る。
【００５７】
しかも、厚肉パネル１及び薄肉パネル２が型枠兼用内装材であるため、型枠の解体作業が合理化出来、各パネル１，２内に所望の配線、配管が存在するため、及び、コンクリートスラブに突出梁が存在しないため、従来の如く、排水工事、換気工事での梁貫通工事が無く、床スラブ形成後の内装作業が合理化出来ると共に、内装作業過程での床スラブ内装材１ａ，２ａの損傷も抑制出来、床スラブの施工費が低減出来る。
【００５８】
また、厚肉パネル１及び薄肉パネル２を張設したスラブ下型枠は、配線、配管用の幅８０mm、高さ２５mmの貫通孔１Ｈ，２Ｈ，２Ｇ，７Ｇが縦横に定間隔で連通しているため、配線、配管は自在であり、一定間隔毎に存在する条溝２Ｇ，７Ｇは、配線、配管作業時は、蓋２ｃ，７ｃを開放した状態の目視作業となるため、配線、配管作業も容易である。
【００５９】
また、厚肉パネル１と薄肉パネル２との採用により、床スラブＳの薄肉部ＳＡと厚肉部ＳＢの形成が容易であり、コンクリート薄肉部ＳＡは勿論、コンクリート厚肉部ＳＢも床スラブであるので、コンクリート厚肉部ＳＢへの配筋も従来のフラットスラブの小梁に比して、主筋３Ｕ，３Ｄも細径、軽量品の使用となって配筋作業が容易であり、床スラブＳの厚肉部ＳＢ下面と薄肉部ＳＡ下面の段差Ｓ３も、従来の小梁下面と床スラブ下面との段差より遥かに小さいので、配筋組立の作業性も良い。
【００６０】
〔その他〕
床スラブコンクリート内への配筋は、図７の実施例にかえて、図８に示す如く、床スラブ筋４Ｃを直線形態とし、コンクリート厚肉部ＳＢの下端主筋３Ｄは、図８（Ｂ）、（ロ）の如く、上部両端に水平のアンカー片４Ａ´を備えたかご筋（スターラップ筋）４Ａで支承しても良く、この場合、配筋の作業性が向上する。
また、薄肉パネル２の溝２Ｇや厚肉パネル１の溝７Ｇ等、上部を蓋で閉止した部位が雨水や、型枠への散水等で水の入る恐れのある場合は、必要に応じて溝２Ｇ，７Ｇ底面に水抜き用の小孔（図示せず）を配置すれば良い。
【００６１】
また、配管用ピット７は、図４の実施例では、排気管等の大径管配管用の貫通溝７Ｇとしたが、ピット７は、使用目的に応じて配置出来、例えば、電線や給水管の接続部での故障時の点検、修理用として一辺が３００mm程度の正方形の天井点検口（慣用品は３００mm角、４５０mm角ｅｔｃ．がある）のスペースとして、厚肉パネル１の断熱材１ｂに配置し、ピット内側面の内装材７ａに開口を施して貫通孔１Ｈとピット７を連通させれば良い。
【産業上の利用可能性】
【００６２】
本発明は、床スラブの中間でスラブ長辺スパン方向ＳＬに、柱又は耐力壁と大梁Ｇとを配置すれば、大面積床スラブの建物が構築出来る。
また、ラーメン構造の建物に採用すれば、スパン間隔ＳＷの大きな床スラブであっても、床スラブを支持する小梁が不要と出来る。
また、本発明床スラブは、両端辺の大梁以外には、大梁、小梁が室内に突出しないため、例えば、１階が車庫や店舗などの空間の必要な使用とし、２階が賃貸住宅のような小さな間取り使用とし、３階が居住スペースを要する個人住宅使用とするなど、複数階でのそれぞれ異なる用途の建物にも対応出来る。
【００６３】
また、図１の如く、壁Ｗ及び梁Ｇの断熱材６と、床スラブパネル１，２の断熱材１ｂ，２ｂとを連続させることにより、高断熱で遮音性（コンクリートと断熱材の一体化による重量衝撃音の遮音性）の優れた居住空間が形成出来る。
また、厚肉パネル１のピット７を介して分電盤を天井に配置し、貫通孔１Ｈ，２Ｈ、条溝２Ｇ，７Ｇで配線使用することにより、分電盤の壁や玄関口への取付けの必要がなくなる。
【図面の簡単な説明】
【００６４】
【図１】本発明のフラット床スラブの一部切欠斜視図である。
【図２】厚肉パネルの説明図であって、（Ａ）は斜視図、（Ｂ）は（Ａ）の矢印Ｂ視図、（Ｃ）は（Ａ）の矢印Ｃ視図である。
【図３】薄肉パネルの説明図であって、（Ａ）は斜視図、（Ｂ）は（Ａ）の矢印Ｂ視図、（Ｃ）は（Ａ）の矢印Ｃ視図である。
【図４】床スラブ断面図であって、（Ａ）は図１のＡ−Ａ断面図、（Ｂ）は（Ａ）の部分拡大図、（Ｃ）は（Ｂ）のＣ部拡大図である。
【図５】床スラブ断面図であって、（Ａ）はコンクリート厚肉部ＳＢの説明図、（Ｂ）はコンクリート薄肉部ＳＡの説明図である。
【図６】パネル接続部の断面図であって、（Ａ）は厚肉パネル相互の長手方向接続部の、（Ｂ）は薄肉パネル相互の長手方向接続部の説明図である。
【図７】床スラブ型枠形成説明図であって、（Ａ）は形成型枠の縦断面図、（Ｂ）は各使用鉄筋の説明図であり、（Ｃ）は使用主筋の末端説明図である。
【図８】床スラブ型枠の変形例図であって、（Ａ）は形成型枠の縦断面図、（Ｂ）は各使用鉄筋の説明図である。
【図９】本発明床スラブでパネルを省略した下方からの斜視図であって、（Ａ）は壁式構造の躯体に適用した図、（Ｂ）はラーメン構造の躯体に適用した図である。
【図１０】従来例１の説明図であって、（Ａ）は平面図、（Ｂ）は縦断面図である。
【図１１】従来例２の説明図であって、（Ａ）は型枠兼用内装下地ボードの斜視図、（Ｂ）は形成床スラブの縦断面図である。
【符号の説明】
【００６５】
１      厚肉パネル
１ａ，２ａ  内装材（ＯＳＢ）
１ｂ    厚肉断熱材（断熱材）
２ｂ    薄肉断熱材（断熱材）
１Ｃ    切欠（切込み）
１Ｅ    厚肉パネル端辺（両端）
１Ｓ    厚肉パネル側辺（側面）
２Ｅ    薄肉パネル端辺（両端）
２Ｓ    薄肉パネル側辺（側面）
１Ｈ，２Ｈ    貫通孔（配線、配管用孔、条溝）
２      薄肉パネル
２ｃ，７ｃ    断熱材（閉止用断熱材、蓋）
２Ｇ，７Ｇ    溝（配線、配管用溝、条溝）
３Ｄ    下端主筋（主筋）
３Ｄ´，３Ｕ´  主筋端部（末端）
３Ｕ，４Ｕ    上端主筋（主筋）
【００６６】
４Ａ    スターラップ筋（かご筋）
４Ａ´  アンカー片
４Ｂ    ステッキ筋
４Ｃ    床スラブ筋
４Ｅ    イナズマ筋
５Ａ    根太
５Ｂ    大引
５Ｃ    パイプサポート
６      壁（梁）断熱材
７      配管用ピット
７ａ    内装材
７Ｓ    ピット側面
８      Ｔバー
８ａ    ねじ
８Ｆ    水平辺
８Ｗ    垂直辺
【００６７】
Ｇ      大梁
Ｓ      スラブコンクリート（コンクリートスラブ、床スラブ）
Ｓｆ    スラブ表面（表面）
ＳＡ    コンクリート薄肉部
ＳＢ    コンクリート厚肉部
Ｔ１，Ｔ２  断熱材厚さ
Ｔ３    内装材厚さ
ＳＬ    スラブ長辺スパン長
ＳＷ    スラブ短辺スパン長（短辺スパン長）
Ｓ１    コンクリート厚肉部厚（コンクリート厚）
Ｓ２    コンクリート薄肉部厚（コンクリート厚）
Ｓ３    コンクリート厚段差
ｄ０，ｄ１，ｄ２  段差
ＪＬ    長手方向接続部（接続部）
ＪＷ    幅方向接続部（接続部）
Ｗ      コンクリート壁（耐力壁）
ＷＡ    コンクリート薄肉部幅
ＷＢ    コンクリート厚肉部幅
ＣＰ    コンクリート柱（柱）
ｔａ    テーパー
【図１】
2005213836.tif 000003
【図２】
2005213836.tif 000004
【図３】
2005213836.tif 000005
【図４】
2005213836.tif 000006
【図５】
2005213836.tif 000007
【図６】
2005213836.tif 000008
【図７】
2005213836.tif 000009
【図８】
2005213836.tif 000010
【図９】
2005213836.tif 000011
【図１０】
2005213836.tif 000012
【図１１】
2005213836.tif 000013